(57)【要約】      （修正有）【課題】構造が極めて簡単で製造コストの低減、コンパクト化を図れるとともに、使用時の面倒さ、労力を極力少なくできるヘアドライヤー用ハンガーを提供する。【解決手段】ヘアドライヤー用ハンガー１は、鏡面に固定する支持部３とヘアドライヤーＤを載置する載置部２９とが、噛合い突起の噛合いによって連結されている。従って、支持部３に対して載置部２９のアーム部材３１を手でもって力を加えれば比較的スムーズに回動できると共に、手を離せば直前の位置で安定的に維持される。また、噛み合いを利用しているので、外側から見える主要部分を同じ合成樹脂で形成でき、見た目に違和感が無い。【選択図】図１
0003174051.tif 000002
【実用新案登録請求の範囲】
【請求項１】
壁面に固定される支持部と、一対のほぼ平行に延びたアーム部材と、前記アーム部材どうしを中間部で渡設する渡設部材とを有する載置部と、前記支持部に対して前記載置部のアーム部材を回動可能に連結する連結手段とを備え、
前記連結手段は、前記支持部側に固定された一対の噛合い突起と、前記載置部のアーム部材の基端側に固定され、前記支持部側の一対の噛合い突起にそれぞれ噛合する一対の噛合い突起を有することを特徴とするヘアドライヤー用ハンガー。
【請求項２】
請求項１記載のヘアドライヤー用ハンガーにおいて、
連結手段は、支持部側では、両端寄りに両端側に向かって径が小さくなる段差部がそれぞれ設けられた軸状部材と、前記軸状部材の両段差部にそれぞれ形成された一対の噛合い突起とからなり、載置部側では、両アーム部材の基端側で対向した環状部材と、前記２つの環状部材の対向面にそれぞれ形成された一対の噛合い突起とからなり、前記支持部側の軸状部材の両端側小径部が前記載置部側の環状部材に遊嵌された状態で、前記支持部側の一対の噛合い突起が、前記載置部側の一対の噛合い突起にそれぞれ噛合することを特徴とするヘアドライヤー用ハンガー。
【請求項３】
請求項１または２に記載したヘアドライヤー用ハンガーにおいて、
連結手段は固定元の支持部および載置部と同じ合成樹脂素材で構成されていることを特徴とするヘアドライヤー用ハンガー。
【請求項４】
請求項１〜３のいずれかに記載のヘアドライヤー用ハンガーにおいて、
支持部が壁面に対して着脱自在な吸盤を介して固定されていることを特徴とするヘアドライヤー用ハンガー。
【考案の詳細な説明】
【技術分野】
【０００１】
本考案は、髪の毛の乾燥やセット・スタイリング等に用いられるヘアドライヤーを所望の位置に保持するためのヘアドライヤー用ハンガーに関するものである。
【背景技術】
【０００２】
一般家庭やホテル等における洗面台（洗面スペース）の壁には、ヘアドライヤーを安定に吊るしたり載置したりするためのハンガー構造が設けられている。
この種のハンガーないしホルダー構造は、ヘアドライヤーを安定して保持するためだけの目的をもって設けられており、髪を乾かしたりセットしたりする時にはユーザーがドライヤーを片手で持って必要な位置に任意に動かして使用するようになっている。
しかしながら、このような使用方法では、片手がドライヤーを持つことでふさがれるために、他方の片手だけでスタイリング等をしなければならず、面倒さ、煩わしさを否めなかった。
【０００３】
このような問題に対処すべく、ドライヤーを持たずに両手でスタイリング等を行うことができる種々のハンガー構造が提案されている。
例えば、特許文献１には、任意の場所での上下面に固定できる伸縮自在な支柱と、この支柱に締付具により任意の高さ位置に固定されるアームと、アームの先端部に固定されたドライヤー載置部とを有するドライヤーホルダーが提案されている。ドライヤー載置部は、ドライヤーコードを出し入れするための切り欠き部を有する矩形筒状に形成されている。
特許文献２には、壁面に固定されたベースにフレキシブルチューブの一端を着脱自在に装着し、フレキシブルチューブの自由端側にドライヤーの筒状本体部の外面を挟むクリップを取り付けた構造のハンガーが提案されている。
フレキシブルチューブを曲げることによりヘアドライヤーの位置・向きを任意に設定できるとともに、クリップによる挟み保持方式であるために大きさが異なるドライヤーにも対応できる利点を有している。
【先行技術文献】
【特許文献】
【０００４】
【特許文献１】特開２００６−３４６３８８号公報
【特許文献２】特開２００５−３２３６２１号公報
【考案の概要】
【考案が解決しようとする課題】
【０００５】
しかしながら、特許文献１に記載のホルダーでは、伸縮自在な支柱が必要であるためにコストアップや全体構成の嵩張りを避けられないとともに、ドライヤー載置部の位置を調整するときはその都度締付具の開閉操作が必要で面倒であった。
また、切り欠き部にドライヤーコードを通した後でドライヤーを下ろして筒状本体部をドライヤー載置部に置く必要があり、セッティングが面倒であった。
特許文献２に記載のハンガーでは、フレキシブルチューブ等によるコストアップを避けられないとともに、バネ弾性力で閉じるクリップをその都度操作しなければならない面倒さがあった。
【０００６】
本考案はこのような現状に鑑みてなされたもので、構造が極めて簡単で製造コストの低減、コンパクト化を図れるとともに、使用時の面倒さ、労力を極力少なくできるヘアドライヤー用ハンガーの提供を、その主な目的とする。
【課題を解決するための手段】
【０００７】
本考案は上記課題を解決するためになされたものであり、請求項１記載の考案は、壁面に固定される支持部と、一対のほぼ平行に延びたアーム部材と、前記アーム部材どうしを中間部で渡設する渡設部材とを有する載置部と、前記支持部に対して前記載置部のアーム部材を回動可能に連結する連結手段とを備え、前記連結手段は、前記支持部側に固定された一対の噛合い突起と、前記載置部のアーム部材の基端側に固定され、前記支持部側の一対の噛合い突起にそれぞれ噛合する一対の噛合い突起を有することを特徴とするヘアドライヤー用ハンガーである。
【０００８】
請求項２の考案は、請求項１記載のヘアドライヤー用ハンガーにおいて、
連結手段は、支持部側では、両端寄りに両端側に向かって径が小さくなる段差部がそれぞれ設けられた軸状部材と、前記軸状部材の両段差部にそれぞれ形成された一対の噛合い突起とからなり、載置部側では、両アーム部材の基端側で対向した環状部材と、前記２つの環状部材の対向面にそれぞれ形成された一対の噛合い突起とからなり、前記支持部側の軸状部材の両端側小径部が前記載置部側の環状部材に遊嵌された状態で、前記支持部側の一対の噛合い突起が、前記載置部側の一対の噛合い突起にそれぞれ噛合することを特徴とするヘアドライヤー用ハンガーである。
【０００９】
請求項３の考案は、請求項１または２に記載したヘアドライヤー用ハンガーにおいて、連結手段は固定元の支持部および載置部と同じ合成樹脂素材で構成されていることを特徴とするヘアドライヤー用ハンガーである。
【００１０】
請求項４の考案は、請求項１〜３のいずれかに記載のヘアドライヤー用ハンガーにおいて、支持部が壁面に対して着脱自在な吸盤を介して固定されていることを特徴とするヘアドライヤー用ハンガーである。
【考案の効果】
【００１１】
本考案のヘアドライヤー用ハンガーによれば、構造が極めて簡単で製造コストの低減、コンパクト化を図れるとともに、使用時の面倒さ、労力を極力少なくでき、使い勝手を向上させることができる。
特に、ヘアドライヤーを水平に移動してそのまま載置できるので、従来方式に比べてヘアドライヤーの設置労力を極めて少なくすることができる。
【図面の簡単な説明】
【００１２】
【図１】本考案の一実施の形態に係るヘアドライヤー用ハンガーの使用状態を示す斜視図である。
【図２】図１のヘアドライヤー用ハンガーの構成を示す一部分解の斜視図である。
【図３】図１のヘアドライヤー用ハンガーの連結手段の一部を示す裏面図である。
【図４】図１のヘアドライヤー用ハンガーの連結手段の一部を示す斜視図である。
【図５】図１のヘアドライヤー用ハンガーの使用状態の側面図である。
【図６】図１のヘアドライヤー用ハンガーの非使用時の折り畳み状態の側面図である。
【考案を実施するための形態】
【００１３】
本考案の一実施の形態に係るヘアドライヤー用ハンガーを図面にしたがって説明する。
図１に示すように、本実施の形態に係るヘアドライヤー用ハンガー１は洗面スペースの鏡面Ｍに固定されており、ヘアドライヤー用ハンガー１にはヘアドライヤーＤが載置されている。
ヘアドライヤー用ハンガー１は、鏡面Ｍに固定された支持部３と、載置部２９とを備える。
【００１４】
図２から図４に基づいて、ヘアドライヤー用ハンガー１の構成を詳細に説明する。
支持部３には、鏡面Ｍに着脱自在に吸着固定される円盤状の吸盤５が設けられている。この吸盤５の表面側には十字形の係合片７が形成されている。この吸盤５には碗状の係合部材９が被さっており、係合部材９側に形成された係合片（図示省略）と係合して、係合部材９が吸盤５に対して固定されている。
【００１５】
符号１１は支持ベースを示し、この支持ベース１１は平板が連結されて断面Ｌ字状になったものである。垂直に立ち上った側が上記した係合部材９の下端に連設されており、吸盤５を鏡面Ｍに固定すると、支持ベース１１は正Ｌ字形を描く姿勢となる。
支持ベース１１の水平方向に張り出した側には、円筒状部材１３の外周面が連設されている。この円筒状部材１３には支持ベース１１の連設部分に沿って下側に開口部１５が形成されている。
【００１６】
符号１７は軸状部材を示し、この軸状部材１７は上記した円筒状部材１３に挿通され遊嵌されている。軸状部材１７の両端寄りは円筒状部材１３を超えてそれぞれ突出しており、この部分にはそれぞれ環状部材１９が嵌られて環状の段差部２１が形成されている。そして、各段差部２１の端側を向いた環状面に噛合い突起２３が形成されている。
【００１７】
また、軸状部材１７には連動片２５が設けられており、この連動片２５からは一対の連動片２７、２７が延び出ている。これら連動片２５、２７、２７は上記した開口部１５から延び出て、支持ベース１１に当たるようになっている。また、各連動片２７の先端側は円筒状部材１３を跨いで環状部材１９に至り一体化している。
上記した構成により、支持ベース１１と軸状部材１７とが連動するようになっている。
【００１８】
載置部２９には、一対のほぼ平行に延びたアーム部材３１、３１が設けられている。各アーム部材３１は板面が対向しており、その遊端側は上方に傾斜しながら先細りの形状になって、先端には丸みが付けられている。アーム部材３１、３１の間には、その中間よりやや基端寄りの位置で渡設部材３３が渡設されている。
アーム部材３１、３１の基端側はＵ字状の連結部３５が連設されており、この連結部の両側から立ち上がっている立上げ部には穴３７、３７がそれぞれ形成されている。穴３７、３７はアーム部材３１、３１を横断する方向に貫通している。また、各立上げ部には係合突起３９が対向面側に設けられている。符号４１は環状部材を示し、この環状部材４１に設けられた係合凹部４３に上記した連結部３５側の係合突起３９が嵌り込んで回動不能に係合している。環状部材４１には噛合い突起４５が形成されている。
【００１９】
アーム部材３１、３１の間に、支持ベース１１の水平方向に張り出した側に連設された円筒状部材１３が挟まれており、円筒状部材１３から突出した軸状部材１７の両端部が対向するアーム部材３１、３１の連結部３５、３５に形成された穴３７、３７に遊嵌状態でそれぞれ挿入されている。そして、アーム部材３１側の噛合い突起４５と軸状部材１７側の噛合い突起２３とが噛合している。
【００２０】
従って、支持部３に対して載置部２９のアーム部材３１を手でもって力を加えれば比較的スムーズに回動できると共に、手を離せば直前の位置で安定的に維持される。
また、噛み合いを利用しているので、外側から見える主要部分を同じ合成樹脂で形成でき、見た目に違和感が無い。
【００２１】
次に、上記した構成のヘアドライヤー用ハンガー１の使用方法を説明する。
図５に示すように、支持部３側の吸盤５で鏡面Ｍに固定して設置する。そして、ヘアドライヤーＤを載置するときには、アーム部材３１、３１を手で持って回動させて水平姿勢になるまで手間に引き出す。そして、ヘアドライヤーＤの手持ち部Ｙをアーム部材３１の間に挿入し、下ろして載置する。ヘアドライヤーＤを使用し終わった後は、手持ち部Ｙをアーム部材３１の間から手前に引出す。
噛合いを利用して回動させているので、所望の水平姿勢まで容易に引出せ、手を離せば、その姿勢で安定化する。
また、ヘアドライヤーＤの載置及び取外しも片手で容易にできる。
【００２２】
載置時には、ヘアドライヤーＤの筒状本体部Ｘを、アーム部材３１、３１と渡設部材３３の３箇所で持上げ支持され、且つ、アーム部材３１の遊端は上がって滑落が防止されているので、ヘアドライヤーＤは安定状態に保たれる。
ヘアドライヤーＤの使用を終えた後は、アーム部材３１、３１を回動させれば、図６に示すように折り畳んでコンパクト化できるので、邪魔にならない。
【００２３】
以上、本考案の実施の形態について詳述してきたが、具体的構成は、この実施の形態に限られるものではなく、本考案の要旨を逸脱しない範囲における設計の変更などがあっても考案に含まれる。
【符号の説明】
【００２４】
１……ヘアドライヤー用ハンガー
３……支持部                      ５……吸盤
７……係合片                      ９……係合部材
１１……支持ベース                １３……円筒状部材
１５……開口部                    １７……軸状部材
１９……環状部材                  ２１……段差部
２３……噛合い突起                ２５、２７……連動片
２９……載置部                    ３１……アーム部材
３３……渡設部材                  ３５……連結部
３７……穴                        ３９……係合突起
４１……環状部材                  ４３……係合凹部
４５……噛合い突起
Ｄ……ヘアドライヤー        Ｘ……筒状本体部        Ｙ……手持ち部
Ｍ……鏡面
【図１】
0003174051.tif 000003
【図２】
0003174051.tif 000004
【図３】
0003174051.tif 000005
【図４】
0003174051.tif 000006
【図５】
0003174051.tif 000007
【図６】
0003174051.tif 000008